(57)【特許請求の範囲】
【請求項１】
屋内と屋外の温度と湿度を、換気扇本体とは分離して設置した屋内用温度・湿度センサーおよび換気扇本体内蔵の屋外用温度・湿度センサーで温度と湿度が安定した場所を精度良く測定検知し、それぞれの温度・湿度センサーで測定された屋内と屋外の温度・湿度の表示部と、それぞれの温度差および湿度差に基づき屋内温度と湿度が最適になるよう吸気や排気の最適動作をさせる制御回路を設けた制御部を持ち、更に指定時刻にオン動作やオフ動作をさせることができるタイマー回路を持った、吸気および排気の機能を有する換気扇。
【発明の詳細な説明】
【技術分野】
【０００１】  本発明は、屋内の快適な温度および湿度を実現するために、屋内と屋外の温度差および湿度差に基づき制御する機能を有する換気扇に関するものである。
【背景技術】
【０００２】  従来の換気扇では、屋内のみの温度や湿度の状況や環境に基づき、吸気や排気の操作や制御を行っていた。
【発明の概要】
【発明が解決しようとする課題】
【０００３】  しかしながら、このような従来の構成では、屋外の温度や湿度に関して十分な情報がないため、屋内および屋外の状況や環境に応じ、常に最適な吸気や排気を行うことは難しく、快適な屋内環境を実現するのは難しかった。
【課題を解決するための手段】
【０００４】  本発明は、このような問題点を解決するもので、屋内と屋外の温度と湿度を測定検知し、それぞれの温度差および湿度差に基づいて吸気や排気の最適動作をさせる制御回路を設けた制御部を有する換気扇である。さらに屋内と屋外のそれぞれの温度と湿度の表示部およびタイマー回路を設けた制御部を有する換気扇である。
【発明の効果】
【０００５】  以上のように、本発明によれば、屋内だけでなく屋外についても温度と湿度の情報を入手し、それぞれの温度差および湿度差に基づいて効率よく吸気や排気の最適動作をさせることができる。このことにより、以下のようにそれぞれの状況や環境に応じ、より最適な換気動作をさせることができる。
屋内温度が高く不快な環境にあるとき、屋外温度が屋内温度より低ければ、外気を取り込む吸気動作をさせて屋内温度を下げることにより、より快適な屋内環境を実現できる。
また、屋内湿度が高く不快な環境にあるとき、屋外湿度が屋内湿度より低ければ、屋内の空気を排出する排気動作をさせて屋内の湿度を下げることにより、より快適な屋内環境を実現できる。
さらに屋内と屋外のそれぞれの温度と湿度の表示部およびタイマー回路を設けることにより、屋内および屋外の状況や環境の目視確認に基づく手動操作も可能とすると同時にタイマーによる自動運転で、操作の自由度および利便性を高めた換気扇である。
【図面の簡単な説明】
【０００６】
【図１】本発明の一実施形態による斜視図である。
【図２】本発明の制御動作の様子を示したブロック図である。
【図３】本発明の換気扇を窓に設置した時の、屋内から見た斜視図である。
【図４】本発明の換気扇を窓に設置した時の、屋外から見た斜視図である。
【図５】本発明の換気扇を壁上部の取り付け枠に設置した時の、屋内から見た斜視図である。
【図６】本発明の換気扇を壁上部の取り付け枠に設置した時の、屋外から見た斜視図である。
【図７】従来の換気扇の斜視図である。
【発明を実施するための形態】
【０００７】  本発明の請求項１に記載の発明は、屋内と屋外の温度と湿度を、換気扇本体とは分離して設置した屋内用温度・湿度センサーおよび換気扇本体内蔵の屋外用温度・湿度センサーで温度と湿度が安定した場所を精度良く測定検知し、それぞれの温度・湿度センサーで測定された屋内と屋外の温度・湿度の表示部と、それぞれの温度差および湿度差に基づき屋内温度と湿度が最適になるよう吸気や排気の最適動作をさせる制御回路を設けた制御部を持ち、更に指定時刻にオン動作やオフ動作をさせることができるタイマー回路を持った、吸気および排気の機能を有する換気扇であり、屋内環境を快適にするための有効な手段となる。
また、表示部に表示された屋内および屋外の温度および湿度の状況を目で確認することにより、状況に応じての手動操作を可能とするとともに、タイマー機能により制御回路を指定時刻にオン動作やオフ動作をさせることができるため、温度差および湿度差に基づき吸気や排気の最適動作をする制御部を有効かつ効率的に動作させることができる。
【０００８】  以下、本発明の実施の形態について、図１から図２を用いて説明する。
【０００９】  図１は、本発明の一実施形態による斜視図であり、換気扇本体１に内蔵の屋外用温度・湿度センサー３と屋内用温度・湿度センサー２の情報を基に、その温度差および湿度差から吸気や排気の判断・制御を行う制御部４を持つ。また、その時々の温度と湿度の情報を確認できる表示部５およびタイマー回路を設けた制御部４で本発明を構成している。この時、屋外用温度・湿度センサー３は空気取り込み口に近い換気扇本体１に内蔵とし、実際に吸気する空気の温度と湿度の値を精度よく測定できる構造としている。また、屋内用温度・湿度センサー２は、換気扇本体１と距離が取れるように換気扇本体１とは分離した構造とし、屋内空気の温度と湿度が安定している場所での測定管理を可能としている。
【００１０】  図２は、本発明の制御動作の様子を示したブロック図であり、換気扇本体１に内蔵の屋外用温度・湿度センサー３と屋内用温度・湿度センサー２の情報は、制御回路６のある制御部４に送られ、屋内と屋外のそれぞれの温度差および湿度差に基づき吸気や排気の最適制御動作を行う。さらにまた、屋内と屋外のそれぞれの温度と湿度を表示する表示部５およびタイマー回路７を有しており操作性の自由度と利便性を高めている。
以下に代表的な最適制御動作の様子と動作の例を示す。
１．屋内温度が高いため、低い温度の外気を取り入れたい時
屋内温度が高く不快な環境にあるとき、屋外温度が屋内温度より低ければ、換気扇本体１を吸気動作させることにより、屋内温度を下げ快適な環境にすることができる。
１−１  温度を２８度に設定した時の動作の例（温度差のみの情報を基に動作させた時）
屋内温度が２８度より高く、屋外温度が屋内温度より低くなれば吸気動作を開始し、屋内温度が２８度以下になれば動作を停止する。
１−２  温度を２８度、湿度を７０％に設定した時の動作の例（温度差および湿度差の情報を基に動作させた時）
屋外湿度が７０％以下の時、屋内温度が２８度より高く、屋外温度が屋内温度より低くなれば吸気動作を開始し、屋内温度が２８度以下になれば動作を停止する。この時、屋外湿度が７０％より高い時は吸気動作を行わず、高い湿度の不快な外気の流入を防ぐ。
２．屋内の湿度が高いため、排気により湿度を下げたい時
屋内湿度が高く不快な環境にあるとき、換気扇本体１を排気動作させることにより屋内の湿度を下げ快適な環境にすることができる。
２−１  湿度を７０％に設定した時の動作の例（湿度差のみの情報を基に動作させた時）
屋内湿度が７０％より高く、屋外湿度が７０％以下であれば排気動作を開始し、屋内湿度が７０％以下になると動作を停止する。この時、屋外湿度が７０％より高ければ、十分な湿度低減効果を期待できないため排気動作は行わない。
３．タイマー回路を利用した時
前記の１および２それぞれの動作において、タイマー回路７を併用することにより希望の時間帯だけ吸気または排気を自動で行わせ、操作の利便性の向上を図ることができる。
３−１．温度を２８度に設定し、１８時から２４時までタイマー動作をさせた時の動作の例（温度差のみの情報を基に動作させた時）
１８時以降に、屋内温度が２８度より高く、屋外温度が屋内温度より低くなれば吸気動作を開始し、屋内温度が２８度以下になれば動作を停止するが、２４時になると吸気動作を完全に停止する。このことにより、夕方から夜中までの冷えた外気を効率的に取り込むことを可能としている。
【００１１】  以下、本発明の実施例（設置例）について、図３から図６を用いて説明する。
【実施例１】
【００１２】  図３は、本発明の換気扇を窓に設置した時の屋内から見た斜視図であり、従来の窓用換気扇と同様な取り付けとなる。本実施例（設置例）では実際の使用を考慮し、ガード８ａを取り付けた実施例（設置例）を示している。【００１３】  図４は、本発明の換気扇を窓に設置した時の屋外から見た斜視図である。本実施例（設置例）では実際の使用を考慮し、防虫ネット９ａを取り付けた実施例（設置例）を示している。
【実施例２】
【００１４】  図５は、本発明の換気扇を壁上部の取り付け枠１１に設置した時の屋外から見た斜視図であり、従来の換気扇枠への取り付けと同様な取り付けとなる。本実施例（設置例）では実際の使用を考慮し、ガード８ａを取り付けた実施例（設置例）を示している。【００１５】  図６は、本発明の換気扇を壁上部の取り付け枠１１に設置した時の屋外から見た斜視図である。本実施例（設置例）では実際の使用を考慮し、防虫ネット９ａを取り付けた実施例（設置例）を示している。
【符号の説明】
【００１６】      １  換気扇本体
２  屋内用温度・湿度センサー
３  屋外用温度・湿度センサー
４  制御部
５  表示部
６  制御回路
７  タイマー回路
【図１】
0006347429.tif 000002
【図２】
0006347429.tif 000003
【図３】
0006347429.tif 000004
【図４】
0006347429.tif 000005
【図５】
0006347429.tif 000006
【図６】
0006347429.tif 000007
【図７】
0006347429.tif 000008